(57)【要約】【課題】  人体を加温する装置において、装置への出入りが難しく、温熱治療の運用が容易ではなかった。【解決手段】  水平に置いたベッドを覆うようにドームとカバーを設け、カバーはレールを設け、モーターによってレールを駆動させてカバーを開閉させ、開いたときにはカバーがドームに収納されてベッドが平らに全面露出するように構成した。これにより、ベッドに人体が乗り降りしやすく、省スペースでの温熱療法の運用が可能となった。【選択図】図３
2008279233.tif 000002
【特許請求の範囲】
【請求項１】
上側のカバーおよび下側のドームと、これらに熱源となるヒーターなどを備えた人体用加温装置であって、カバーおよびドームは樹脂または金属で形成され、それぞれ内側にヒーターを設け、ドームには土台とベッドを設けた人体加温装置
【請求項２】
請求項１において、カバーとドームは閉じたときに円筒形の空間を形成するよう配置され、その円筒形の両端は平面または半球であって、カバーは円筒形の軸を中心に回転して開いて下側に収納され、カバーが開いたときには上半分が平らになるとともに、平になった部分にはベッドを露出するよう配置し、ベッドはパイプ状のフレームとネットで構成され、フレームにはベッドに寝た人の上半身が任意の角度で起き上がる位置にてヒンジを設けた人体用加温装置。
【請求項３】
請求項２において、カバーは左右に分かれて開閉できるよう分割され、左右のカバーはそれぞれ上側と下側の半面づつで構成され、下側の半面はウインドウとなり、ウインドウはカバーの外周に沿って上側に開き、開いたときにはカバーの円弧が短くなるよう配置され、ウインドウまたはカバーあるいはドームの一部または全体が透明である人体用加温装置。
【請求項４】
請求項３において、カバーとドームで形成された円筒形の外周に沿ってかつ左右に分割された半円状のレールをカバーの左右それぞれに設け、レールは前後方向に互い違いになるようカバーに配置され、レールのガイドをドームに設け、回転軸がレールに接触するようモーターをドームに設け、レールとモーターの回転軸をゴムまたは歯車などで連動させ、モーターが回転するとレールとともにカバーが動いて開閉する人体用加温装置であって、それらの機構が円筒形の前後２箇所に設けられた人体用加温装置。
【請求項５】
請求項４において、ドームの更に内側にもドームを設け、隙間が出来るよう配置にし、内側のドームにベッドを水平に設け、左右に開いたカバーがドームと内側ドームの隙間に収納されるよう配置した人体用加温装置であって、ウインドウが開いた状態でカバーが収納され、ウインドウが開いたことにより形成される空間部分において外側と内側のドームを固定し、固定した部分にはカバーを開閉するときにレールが通る空間を設けた人体用加温装置。
【発明の詳細な説明】
【技術分野】
【０００１】  本発明は、人体を加温して温熱効果を与える装置に関する。
【背景技術】
【０００２】従来から、健康医療を目的として体を温める温熱療法が行なわれてきた。リラクゼーションや疼痛緩和といった健身を狙うものや、リウマチ、糖尿病、ウィルス性疾患、癌などの疾患治療に利用されてきた。【０００３】特に、人体の全身を加温する方法は温熱の効果が高く、様々な研究がなされてきた。その加温手段として、古くには温水や電気毛布があったが、より簡便で安全な加温を目的として、近年では人体をベッドに寝かせてその周りをチャンバーで囲み、その内部に熱源となるヒーターを設け、全身を加温する装置が開発されている。【０００４】以下、図１３および図１４により従来の装置について説明する。図１３では上蓋１４にヒーター１０を設けてヒンジ１３ａで回転するようドーム２ａと接続し、上方向に開閉して人体１が出入りする。図１４ではベッド３を前後にスライドさせる機構を設けて、人体１を載せたままベッド３を出し入れする。それぞれヒーター１０を上蓋１４の内側に設け、人体１が中に入ったら加温する。
【発明の開示】
【発明が解決しようとする課題】
【０００５】しかしそのようなチャンバーは、加温される人が内部に出入りするときの運用面で課題があった。図１３の方法では、重量物が人の上にあることになり、上蓋１４が万一落ちてきたときは危険であり、またそのための心理的な恐怖感を人に与えていた。図１４の方法では、ベッド３が引き出されるスペースが必要であり、狭い部屋では使えない。【０００６】また心電図、血圧、体温などのセンサ類１５を人体に貼付するとき、図１３の方法では上蓋１４が降りてきたときにケーブル１６を挟んだり、図１４の方法ではベッド３がスライドするときにケーブル１６が引っ張られたりして、断線しやすい。【０００７】さらに、図１３の方法ではベッド３を構造物として頑丈に設ける必要があり、図１４の方法ではベッド３にスライドさせる機構を組み込む必要があり、ベッド３の下側にヒーター１０を設けることが難しい。そのため上側からの加温だけになり、加温の効率が低かった。【０００８】本発明はこのような従来の装置の課題を解決するものであり、人体の全身を安全、簡便かつ効果的に加温できる方法を実現することを目的としたものである。
【課題を解決するための手段】
【０００９】人体を横たえるベッドを設け、頭だけ出して首から下の全体を覆うように樹脂または金属素材で全身を覆うようにドームとカバーを設ける。カバーは長手方向の中心を軸に左右に回転しながら開閉し、開いたときはドームに収納される。【００１０】カバーにはレールを設け、ドームにはモーターとガイドを設け、モーターとレールはそれぞれ歯車による咬み合いまたはゴムなどによる摩擦で連動し、モーターの回転がレールに伝わるとカバーごと動いて開閉動作を行なう。【００１１】カバーの内側とドームの内側にはヒーターを貼付して、加温の熱源とする。ベッドはフレームとネットで人体を懸架し、上体部分が角度を持って起き上がる。カバーにはウインドウを設けて、カバーが閉じた状態でもウインドウだけ開くことが出来る。
【発明の効果】
【００１２】足元を閉鎖した構造のカバーでも全部が開いてベッドの平面が全て露出するので、ベッドの乗降が容易である。カバーを開いた状態でも下のヒーターを隠さないので、下から保温できる。センサ類を体に貼付してもケーブルを挟んだり引っ張ったりすることがなく断線の恐れが無い。さらにカバーは上から覆いかぶさるのではなく横からせりあがってくるので、万一故障しても落下することはなく、心理的にも恐怖感が少ない。【００１３】ベッドを簡易な構造に出来るので、下側にヒーターを設けることができ、またベッドをネット状の素材にすることで、下側からも熱が伝わりやすいので、効率的となる。
【発明を実施するための最良の形態】
【００１４】以下、本発明を実施するための形態を示す。図において、土台９にドーム２ａを据えてその上にベッド３を水平に置き、ドーム２ａにガイド８、内ドーム２ｂおよびモーター７を設ける。内ドーム２ｂを支えてドーム２ｂに接する部分には、レール右６ａおよびレール左６ｂの通路となるような空間または穴を設けておく。【００１５】カバー右４ａにレール右６ａを固定し、レール右６ａの円弧に沿ってスライドしながらカバー右４ａに収納されるようウインドウ右５ａを設け、カバー左４ｂにレール左６ｂを固定し、レール左６ｂの円弧に沿ってスライドしながらカバー左４ｂに収納されるようウインドウ左５ｂを設ける。レール右６ａとレール右６ｂは前後にずらして設ける。【００１６】レール右６ａとレール左６ｂをガイド８に通るようかつモーター７の回転する動力が連動するよう歯車またはゴムなどによって接触させて、カバー右４ａとカバー左４ｂをドーム２ａの上に設け、電気などで稼動するヒーター１０をカバー右４ａおよびカバー左４ｂと内ドーム２ｂのそれぞれの内側に貼付するよう設ける。【００１７】ベッド３は図１０のようにフレーム１１とネット１２を設け、ネット１２で人体１を懸架するようにしてもよく、ピン１３ｂを中心にして電動または手動で人体１の上半身にあたる部分を起き上がらせて、人体１の安静となる姿勢を変えるようにする。【００１８】ウインドウ右５ａおよびウインドウ左５ｂとカバー右４ａおよびカバー左４ｂは、一部または全部を透明な素材にして、完全に閉じたときでも中に入った人体１の状態を監視できる。また、図２のように前後を半円球にして角部をなくすと人に当たっても怪我をしにくい。【００１９】以下、上記構成の動作を説明する。通常は図１〜図３および図７のように、カバー右４ａおよびカバー左４ｂが閉じた状態である。【００２０】使用するときは、モーター７を回転させると、動力がレール右６ａとレール左６ｂに伝わって、それぞれ図６のようにガイド８を通りながら降りていき、それにともなって、カバー右４ａおよびカバー左４ｂが図４および図８のように左右に分かれながらドーム２ａと内ドーム２ｂの間に形成された隙間に収納される。【００２１】図３および図６のようにレール右６ａとレール左６ｂはそれぞれ前後にずらしてカバー右４ａとカバー左４ｂに固定されているので、開いていくときでも互いに干渉しない。図１１のように閉じていたウインドウ右５ａおよびウインドウ左５ｂは、図１２のように開いた状態にしてカバー右４ａおよびカバー左４ｂを開くので、ドーム２ａと内ドーム２ｂを固定する部分に干渉しない。【００２２】最終的には図５および図９のようにベッド３が全面露出して、上面が完全に平らとなる。【００２３】加温するときは上記の逆の動作によってカバー右４ａおよびカバー左４ｂならびにウインドウ右５ａおよびウインドウ左５ｂを閉じ、ヒーター１０で加温する。ベッド３を図１０のように構成した場合、ネット１２は網目になっており、ヒーター１０からの放熱を妨げない。【００２４】ウインドウ右５ａおよびウインドウ左５ｂはカバー右４ａおよびカバー左４ｂが閉じた上体でも独立して手動または電動で開閉することが出来、加温中でも外から手を入れて、人体の姿勢や状態をなおすことができる。
【産業上の利用可能性】
【００２５】上述したように、本発明は取り扱いが容易で効率が良く、設置のスペースも必要最小限で済む全身加温手段を提供できる。特に医学的な目的で体温をより高く上げるときには多くの医療スタッフが必要となるが、それらスタッフが円滑に動くことができる。
【図面の簡単な説明】
【００２６】
【図１】  本発明の実施形態を示す正面図である。
【図２】  本発明の実施形態を示す右側面図である。
【図３】  本発明の実施形態を示す斜視図である。
【図４】  本発明の実施形態を示す斜視図である。
【図５】  本発明の実施形態を示す斜視図である。
【図６】  図５におけるＡ部の拡大平面図である。
【図７】  図２におけるＡ−Ａ部の断面図である。
【図８】  図２におけるＡ−Ａ部の断面図である。
【図９】  図２におけるＡ−Ａ部の断面図である。
【図１０】  本発明のベッドの実施形態を示す平面図である。
【図１１】  本発明の実施形態の一部を示す斜視図である。
【図１２】  本発明の実施形態の一部を示す斜視図である。
【図１３】  従来の装置を示す参考右側面図である。
【図１４】  従来の装置を示す参考右側面図である
【符号の説明】
【００２１】    １    人体
２ａ  ドーム
２ｂ  内ドーム
３    ベッド
４ａ  カバー右
４ｂ  カバー左
５ａ  ウインドウ右
５ｂ  ウインドウ左
６ａ  レール右
６ｂ  レール左
７    モーター
８    ガイド
９    土台
１０    ヒーター
１１    フレーム
１２    ネット
１３ａ  ヒンジ
１３ｂ  ピン
１４    上蓋
１５    センサ類
１６    ケーブル
【図１】
2008279233.tif 000003
【図２】
2008279233.tif 000004
【図３】
2008279233.tif 000005
【図４】
2008279233.tif 000006
【図５】
2008279233.tif 000007
【図６】
2008279233.tif 000008
【図７】
2008279233.tif 000009
【図８】
2008279233.tif 000010
【図９】
2008279233.tif 000011
【図１０】
2008279233.tif 000012
【図１１】
2008279233.tif 000013
【図１２】
2008279233.tif 000014
【図１３】
2008279233.tif 000015
【図１４】
2008279233.tif 000016